【手続補正書】
【提出日】平成16年12月8日(2004.12.8)
【手続補正１】
【補正対象書類名】明細書
【補正対象項目名】特許請求の範囲
【補正方法】変更
【補正の内容】
【特許請求の範囲】
【請求項１】
炭化水素、アルコール類またはエーテル類を含む原燃料と原料水またはスチームとを水素リッチな燃料ガスに変換する燃料処理システムにおいて、前記燃料処理システムが、前記燃料ガスの露点温度測定手段と、露点温度に基づき原燃料流量、あるいは水またはスチーム流量を推定する演算手段と、演算結果に基づき原燃料流量、あるいは水またはスチーム流量を調節する流量調節手段とを設けたことを特徴とする燃料処理システム。
【請求項２】
前記演算結果に基づき原燃料流量、あるいは水またはスチーム流量が異常であると判断された場合に、前記異常を連絡する警報手段を設けたことを特徴とする請求項１に記載の燃料処理システム。
【請求項３】
燃料処理システムが、原燃料と原料水またはスチームとを改質反応により水素リッチな燃料ガスに変換する改質反応器を含み、露点温度測定手段が、前記改質反応器の下流に設置されていることを特徴とする請求項１または２に記載の燃料処理システム。
【請求項４】
露点温度測定手段が、燃料ガスの温度測定手段であり、測定された前記燃料ガスの温度結果から、露点温度を推定することを特徴とする請求項３に記載の燃料処理システム。
【請求項５】
複数の温度測定手段が、改質反応器の下流に設置されていることを特徴とする請求項４に記載の燃料処理システム。
【請求項６】
燃料ガス中のスチームの一部が凝縮する位置に、温度測定手段が設置されていることを特徴とする請求項４に記載の燃料処理システム。
【請求項７】
炭化水素、アルコール類またはエーテル類を含む原燃料と原料水またはスチームとを水素リッチな燃料ガスに変換する燃料処理システムの運転方法において、前記燃料ガスの露点温度を測定し、前記露点温度に基づき原燃料流量、あるいは水またはスチーム流量を推定し、推定結果に基づき原燃料流量、あるいは水またはスチーム流量が異常であると判断された場合に、前記異常を連絡する警報を発するか、あるいは、異常を連絡する警報を発するとともに、前記推定結果に基づき前記原燃料流量あるいは水またはスチーム流量を調節することを特徴とする燃料処理システムの運転方法。
【請求項８】
燃料処理システムが、原燃料と原料水またはスチームとを改質反応により水素リッチな燃料ガスに変換する改質反応器を含み、露点温度が、前記改質反応器の下流に流れる燃料ガスの温度から推定されるとともに、前記原燃料の流量、あるいは前記燃料処理システムの周囲温度に基づき、燃料ガス温度を補正し、燃料ガスの露点温度を推定することを特徴とする請求項７に記載の燃料処理システムの運転方法。
【手続補正２】
【補正対象書類名】明細書
【補正対象項目名】０００６
【補正方法】変更
【補正の内容】
【０００６】
【課題を解決するための手段】
請求項１の発明は、炭化水素、アルコール類またはエーテル類を含む原燃料と原料水またはスチームとを水素リッチな燃料ガスに変換する燃料処理システムにおいて、前記燃料処理システムが、前記燃料ガスの露点温度測定手段と、露点温度に基づき原燃料流量、あるいは水またはスチーム流量を推定する演算手段と、演算結果に基づき原燃料流量、あるいは水またはスチーム流量を調節する流量調節手段とを設けたことを特徴とする燃料処理システムである。
請求項２の発明は、前記演算結果に基づき原燃料流量、あるいは水またはスチーム流量が異常であると判断された場合に、前記異常を連絡する警報手段を設けたことを特徴とする請求項１に記載の燃料処理システムである。
請求項３の発明は、燃料処理システムが、原燃料と原料水またはスチームとを改質反応により水素リッチな燃料ガスに変換する改質反応器を含み、露点温度測定手段が、前記改質反応器の下流に設置されていることを特徴とする請求項１または２に記載の燃料処理システムである。
請求項４の発明は、露点温度測定手段が、燃料ガスの温度測定手段であり、測定された前記燃料ガスの温度結果から、露点温度を推定することを特徴とする請求項３に記載の燃料処理システムである。
請求項５の発明は、複数の温度測定手段が、改質反応器の下流に設置されていることを特徴とする請求項４に記載の燃料処理システムである。
請求項６の発明は、燃料ガス中のスチームの一部が凝縮する位置に、温度測定手段が設置されていることを特徴とする請求項４に記載の燃料処理システムである。
請求項７の発明は、炭化水素、アルコール類またはエーテル類を含む原燃料と原料水またはスチームとを水素リッチな燃料ガスに変換する燃料処理システムの運転方法において、前記燃料ガスの露点温度を測定し、前記露点温度に基づき原燃料流量、あるいは水またはスチーム流量を推定し、推定結果に基づき原燃料流量、あるいは水またはスチーム流量が異常であると判断された場合に、前記異常を連絡する警報を発するか、あるいは、異常を連絡する警報を発するとともに、前記推定結果に基づき前記原燃料流量あるいは水またはスチーム流量を調節することを特徴とする燃料処理システムの運転方法である。
請求項８の発明は、燃料処理システムが、原燃料と原料水またはスチームとを改質反応により水素リッチな燃料ガスに変換する改質反応器を含み、露点温度が、前記改質反応器の下流に流れる燃料ガスの温度から推定されるとともに、前記原燃料の流量、あるいは前記燃料処理システムの周囲温度に基づき、燃料ガス温度を補正し、燃料ガスの露点温度を推定することを特徴とする請求項７に記載の燃料処理システムの運転方法である。
【手続補正３】
【補正対象書類名】明細書
【補正対象項目名】００２３
【補正方法】変更
【補正の内容】
【００２３】
【発明の効果】
請求項１の発明は、炭化水素、アルコール類またはエーテル類を含む原燃料と原料水またはスチームとを水素リッチな燃料ガスに変換する燃料処理システムにおいて、前記燃料処理システムが、前記燃料ガスの露点温度測定手段と、露点温度に基づき原燃料流量、あるいは水またはスチーム流量を推定する演算手段と、演算結果に基づき原燃料流量、あるいは水またはスチーム流量を調節する流量調節手段とを設けたことを特徴とする燃料処理システムであるので、意図しない理由により原燃料または原料水（スチーム）の流量が設定値からずれた場合、これを検出、対処することにより、安定な運転およびシステムの保護を可能にする燃料処理システムが提供される。
【手続補正４】
【補正対象書類名】明細書
【補正対象項目名】００２５
【補正方法】変更
【補正の内容】
【００２５】
請求項３の発明は、燃料処理システムが、原燃料と原料水またはスチームとを改質反応により水素リッチな燃料ガスに変換する改質反応器を含み、露点温度測定手段が、前記改質反応器の下流に設置されていることを特徴とする請求項１または２に記載の燃料処理システムであるので、原燃料流量、あるいは水またはスチーム流量の異常状態の検出感度が一層高まる。
【手続補正５】
【補正対象書類名】明細書
【補正対象項目名】００２８
【補正方法】変更
【補正の内容】
【００２８】
請求項６の発明は、燃料ガス中のスチームの一部が凝縮する位置に、温度測定手段が設置されていることを特徴とする請求項４に記載の燃料処理システムであるので、複雑で高価な露点計を用いなくてもＳ／Ｃの値を推定でき、原燃料流量、あるいは水またはスチーム流量の異常状態の検出が可能になる。
【手続補正６】
【補正対象書類名】明細書
【補正対象項目名】００２９
【補正方法】変更
【補正の内容】
【００２９】
請求項７の発明は、炭化水素、アルコール類またはエーテル類を含む原燃料と原料水またはスチームとを水素リッチな燃料ガスに変換する燃料処理システムの運転方法において、前記燃料ガスの露点温度を測定し、前記露点温度に基づき原燃料流量、あるいは水またはスチーム流量を推定し、推定結果に基づき原燃料流量、あるいは水またはスチーム流量が異常であると判断された場合に、前記異常を連絡する警報を発するか、あるいは、異常を連絡する警報を発するとともに、前記推定結果に基づき前記原燃料流量あるいは水またはスチーム流量を調節することを特徴とする燃料処理システムの運転方法であるので、意図しない理由により原燃料または原料水（スチーム）の流量が設定値からずれた場合、これを検出、対処することにより、安定な運転およびシステムの保護を可能にする燃料処理システムの運転方法が提供される。
【手続補正７】
【補正対象書類名】明細書
【補正対象項目名】００３０
【補正方法】変更
【補正の内容】
【００３０】
請求項８の発明は、燃料処理システムが、原燃料と原料水またはスチームとを改質反応により水素リッチな燃料ガスに変換する改質反応器を含み、露点温度が、前記改質反応器の下流に流れる燃料ガスの温度から推定されるとともに、前記原燃料の流量、あるいは前記燃料処理システムの周囲温度に基づき、燃料ガス温度を補正し、燃料ガスの露点温度を推定することを特徴とする請求項７に記載の燃料処理システムの運転方法であるので、より正確な原燃料流量、あるいは水またはスチーム流量の異常状態の検出が可能になる。